(57)【要約】【課題】電子ビューファインダー装置内部の表面反射光による表示品質の低下を低減した電子ビューファインダー装置を提供する。【解決手段】偏光分離フィルム４と接眼光学系７との間に第二の偏光板５、第一の１／４波長板６を配置して第一の円偏光板１２を構成すると共に、接眼光学系７と保護板１０との間に第三の偏光板９と第二の１／４波長板８を配置して第二の円偏光板１３を構成する。第一の円偏光板１２と第二の円偏光板１３はそれぞれ１／４波長板６と１／４波長板８が内側に向けて相対するように配置する。偏光分離フィルム４から出射された光学画像光１４が接眼光学系７或いは第二の１／４波長板８の表面で反射することにより表面反射光１５が生じたとしても、表面反射光１５は第一の円偏光板１２により遮断される為、表示品質が低下することは無い。【選択図】図１
2013235163.tif 000002
【特許請求の範囲】
【請求項１】
光学画像を表示する為の光変調を行う反射型液晶パネルと、
前記反射型液晶パネルからの光学画像光を集光させる接眼光学系と、
前記接眼光学系と外界とを隔絶する透明な保護板と、
前記反射型液晶パネルに光を照射する光源と、
前記光源から入射された光を前記反射型液晶パネルに向けて反射すると共に、前記反射型液晶パネルによって光変調された任意の偏光を選択的に透過し、光学画像光として前記接眼光学系に投射する偏光分離手段とを備えた電子ビューファインダー装置であって、
前記偏光分離手段と前記接眼光学系との間に配置された第一の円偏光板と、
前記接眼光学系と前記保護板との間に配置された第二の円偏光板とを備えたことを特徴とする電子ビューファインダー装置。
【請求項２】
前記第一の円偏光板は、前記偏光分離手段側から順番に配置された偏光板と１／４波長板によって構成されていることを特徴とする請求項１に記載の電子ビューファインダー装置。
【請求項３】
前記第一の円偏光板は、前記偏光分離手段に積層されていることを特徴とする請求項１又は２に記載の電子ビューファインダー装置。
【請求項４】
前記第一の円偏光板は、前記偏光分離手段と１／４波長板によって構成されていることを特徴とする請求項１に記載の電子ビューファインダー装置。
【請求項５】
前記１／４波長板は、前記偏光分離手段に積層されていることを特徴とする請求項４に記載の電子ビューファインダー装置。
【請求項６】
前記第二の円偏光板は、前記保護板側から順番に配置された偏光板と１／４波長板によって構成されていることを特徴とする請求項１〜５の何れか一つに記載の電子ビューファインダー装置。
【請求項７】
前記第二の円偏光板は、前記保護板に積層されていることを特徴とする請求項１〜６の何れか一つに記載の電子ビューファインダー装置。
【発明の詳細な説明】
【技術分野】
【０００１】
本発明は電子ビューファインダー装置に関する。
【背景技術】
【０００２】
図７は従来の電子ビューファインダー装置の概略図である。従来の電子ビューファインダー装置は、例えば、光学画像を表示する為の光変調を行う反射型液晶パネル３と、反射型液晶パネル３からの光学画像を集光させるレンズ等からなる接眼光学系７と、接眼光学系７と外界を隔絶する透明な保護板１０と、反射型液晶パネル３に光を照射する光源１と、光源１から出射された光を任意の直線偏光とする第一の偏光板２と、第一の偏光板２から出射された直線偏光を反射型液晶パネル３に向けて反射すると共に、反射型液晶パネル３によって光変調された任意の偏光を選択的に透過し、光学画像として接眼光学系７に投射する偏光分離フィルム４と、それら各部材を収容する図示しないビューファインダー筐体とによって構成される。尚、第一の偏光板２は、省略することも可能である。
【０００３】
以上の従来の電子ビューファインダー装置において、光源１から出射された光は第一の偏光板２を透過して直線偏光となった後、偏光分離フィルム４に入射し、反射型液晶パネル３の方向へ反射される。ここで、偏光分離フィルム４の透過軸は第一の偏光板２の透過軸と直交する方向に設定されている。反射型液晶パネル３に入射した光は液晶の駆動状態によって光変調を受け、偏光分離フィルム４の方向に反射される。偏光分離フィルム４では光変調を受けた光の成分のみが透過し、光学画像として出射される。その後、接眼光学系７によって集光され、保護板１０を透過して観察者の瞳に結像される。
【０００４】
一般的な電子ビューファインダー装置においては、液晶パネルによって変調された光学画像が観察者の瞳に入射するまでに複数の光学部品を透過する必要がある。光が異なる屈折率の媒体に入射する場合、表面でその一部が反射されてしまう。この反射光（表面反射光）が反射型液晶パネルの表示領域等の反射率の高い部材に再入射すると、光学画像と同様の経路を辿ることで観察者に視認され、迷光やゴーストと呼ばれる現象を引き起こし、表示品質を低下させる。
【０００５】
そのような問題を解決する為、従来より多種の方法が考案されている。例えば、表面反射自体を防ぐ方法として、表面反射を引き起こす接眼光学系や保護板等の媒体表面に反射防止処理を施すことが一般的に行われている他、表面反射光の影響を軽減する方法として、液晶パネルに対して保護板を傾斜させて表面反射光を液晶パネルから逸らす方法が開示されている（特許文献１参照）。
【先行技術文献】
【特許文献】
【０００６】
【特許文献１】特許第４５００８８９号
【発明の概要】
【発明が解決しようとする課題】
【０００７】
従来技術のように接眼光学系や保護板の表面に反射防止処理を施すことにより、ある程度は表面反射光を軽減することはできるが完全ではない。同様に、保護板を液晶パネルに対して傾斜させた場合においても、表面反射光の影響を軽減する事は可能ではあるが不十分である。
【０００８】
本発明は、以上の問題点に鑑みてなされたものであり、電子ビューファインダー装置内部の表面反射光による表示品質の低下を抑えた電子ビューファインダー装置を提供することを目的とする。
【課題を解決するための手段】
【０００９】
光学画像を表示する為の光変調を行う反射型液晶パネルと、前記反射型液晶パネルからの光学画像光を集光させる接眼光学系と、前記接眼光学系と外界とを隔絶する透明な保護板と、前記反射型液晶パネルに光を照射する光源と、前記光源から入射された光を前記反射型液晶パネルに向けて反射すると共に、前記反射型液晶パネルによって光変調された任意の偏光を選択的に透過し、光学画像光として前記接眼光学系に投射する偏光分離手段とを備えた電子ビューファインダー装置であって、前記偏光分離手段と前記接眼光学系との間に配置された第一の円偏光板と、前記接眼光学系と前記保護板との間に配置された第二の円偏光板とを備えた電子ビューファインダー装置とする。
【００１０】
前記第一の円偏光板は、前記偏光分離手段側から順番に配置された偏光板と１／４波長板によって構成されている電子ビューファインダー装置とする。
【００１１】
前記第一の円偏光板は、前記偏光分離手段に積層されている電子ビューファインダー装置とする。
【００１２】
前記第一の円偏光板は、前記偏光分離手段と１／４波長板によって構成されている電子ビューファインダー装置とする。
【００１３】
前記１／４波長板は、前記偏光分離手段に積層されている電子ビューファインダー装置とする。
【００１４】
前記第二の円偏光板は、前記保護板側から順番に配置された偏光板と１／４波長板によって構成されている電子ビューファインダー装置とする。
【００１５】
前記第二の円偏光板は、前記保護板に積層されている電子ビューファインダー装置とする。
【発明の効果】
【００１６】
本発明の電子ビューファインダー装置では、反射型液晶パネルと保護板の間に二つの円偏光板が対向して配置されていることにより、二つの円偏光板の間で発生した表面反射光が観察者側に至るのを防ぐ事が出来る為、表示品質の低下を抑えることができる。
【００１７】
また、円偏光板が１／４波長板と偏光板によって構成されていれば、観察者側より入射する外光（太陽光等）は偏光板によって半減される為、外光による内部の熱破壊をも軽減することができる。
【図面の簡単な説明】
【００１８】
【図１】本発明の第一の実施例による電子ビューファインダー装置の概略図
【図２】本発明の第一の実施例の変形例を示す図
【図３】本発明の第一の実施例における光学的関係を模式的に示す図
【図４】本発明の第二の実施例による電子ビューファインダー装置の概略図
【図５】本発明の第二の実施例の変形例を示す図
【図６】本発明の第一及び第二の実施例の変形例を示す図で、（Ａ）第一の実施例の変形例、（Ｂ）第二の実施例の変形例
【図７】従来の電子ビューファインダー装置の概略図
【発明を実施するための形態】
【００１９】
以下、本発明による電子ビューファインダー装置の実施例を説明する。但し、図７に示した従来の電子ビューファインダー装置と同様の構成については説明を省略する。
【実施例１】
【００２０】
図１は本発明の第一の実施例による電子ビューファインダー装置の概略図である。偏光分離フィルム４と接眼光学系７の間に第二の偏光板５と第一の１／４波長板６が偏光分離フィルム４側からそれぞれ順番に挿入されている。同様に、接眼光学系７と保護板１０の間に第三の偏光板９と第二の１／４波長板８が保護板１０側からそれぞれ順番に挿入されている。偏光板と１／４波長板の組合せを円偏光板と定義すると、第二の偏光板５と第一の１／４波長板６で構成される第一の円偏光板１２と、第三の偏光板９と第二の１／４波長板８で構成される第二の円偏光板１３が、それぞれ１／４波長板を内側に向けて相対するように配置されることになる。
【００２１】
この時、第二の偏光板５と第三の偏光板９の透過軸は偏光分離フィルム４の透過軸と平行となる方向に設定される。また、第一の１／４波長板６の遅相軸は第二の偏光板５の透過軸に対し＋４５度ないし−４５度の方角に設定され、第二の１／４波長板８の遅相軸は第一の１／４波長板６の遅相軸と直交する方向に設定される。
【００２２】
図３は本発明の第一の実施例の光学的関係を模式的に示す図である。偏光分離フィルム４より出射された光学画像光１４は第一の円偏光板１２を構成する第二の偏光板５に入射する。偏光分離フィルム４と第二の偏光板５の透過軸の方向は互いに同じであるので、光学画像光１４は第二の偏光板５をそのまま透過し、第一の１／４波長板６に入射する。第一の１／４波長板６の遅相軸は光学画像光１４の振動方向に対して−４５度傾いた方角に設定されている為、光学画像光１４は円偏光に変換される。円偏光に変換された光学画像光１４は接眼光学系７を透過して第二の円偏光板１３を構成する第二の１／４波長板８に入射する。第二の１／４波長板８に入射した円偏光は第二の１／４波長板８によって再び直線偏光に戻され、第三の偏光板９を透過して観察者の瞳に到達し、映像として視認される。
【００２３】
ここで表面反射光１５について考察する。表面反射光１５は、光学画像光１４が接眼光学系７或いは第二の１／４波長板８の表面で反射される事によって発生し、光学画像光１４に対して逆方向に回転する円偏光となり、反射型液晶パネル３の方向へ伝搬する。表面反射光１５は第一の１／４波長板６に再入射し、光学画像光１４と直交する直線偏光に変換された後、第二の偏光板５によって吸収される。これにより、表面反射光１５は観察者に視認されず、表示品質の低下が抑えられる。
【００２４】
次に外光について考察する。観察者方向から入射した外光は保護板１０を透過した後、第３の偏光板９によって直線偏光となる。外光が太陽光等の自然光であれば、それ以外の偏光成分は第３の偏光板９に吸収されるため強度が半減される。直線偏光となった外光は第二の１／４波長板８に入射して円偏光に変換された後、第一の１／４波長板６によって再び直線偏光に戻され、第二の偏光板５と偏光分離フィルム４を透過して反射型液晶パネル３に到達し、反射される。その後は光学画像光１４と同様の光路を辿り観察者側へ再帰する。従って、入射した外光による表示品質の低下を防ぐ事はできない。しかしながら、第三の偏光板９によって外光の強度は半減されている為、最悪の場合である外光による内部の熱破壊は軽減される。
【００２５】
図２は本発明の第一の実施例の変形例を示す図である。この実施例では、第一の円偏光板１２を構成する第二の偏光板５及び第一の１／４波長板６を偏光分離フィルム４の光学画像光出射面に積層すると共に、第二の円偏光板１３を構成する第二の１／４波長板８及び第三の偏光板９を保護板１０の光学画像光入射面に積層している。一般的に、物体の表面反射は空気のような屈折率の大きく異なる媒体との界面で顕著であるため、各光学部材を空気層を介して配置すると各界面での表面反射が無視できなくなる。よって、各光学部材は光学部材用の接着材などで貼り合せ、積層するのが望ましい。これにより、光学部材間の表面反射を最小にする事ができる他、各接着面には反射防止膜を設ける必要がなくなり、コスト的にも有利である。また、光学部材の占有空間を最小に出来る為、接眼光学系７の設計自由度も向上する。
【実施例２】
【００２６】
図４は本発明の第二の実施例による電子ビューファインダー装置の概略図である。この実施例では、第一の実施例の構成において第二の偏光板５を省略し、偏光分離フィルム４と第一の１／４波長板６とで第一の円偏光板１２を構成している。偏光分離フィルム４と第二の偏光板５の透過軸の方向は互いに同じである為、偏光分離フィルム４のみでも表面反射光１５を遮断する効果が得られる。しかしながら、吸収型偏光板と異なり偏光分離フィルムは透過軸以外の光の成分を反射する為、反射された光が迷光となる恐れがある。よって、反射された光を吸収する為に、偏光分離フィルム４と対向する領域に光吸収板１１を別途設けるのが好ましい。光吸収板１１は例えば基材表面に表面反射の少ない黒色塗装を施したもの或いは基材自体を黒色樹脂などで成形したものである。尚、ビューファインダー筐体の壁面に黒色塗装を施す或いはビューファインダー筐体自体を黒色樹脂などで成型すれば、光吸収板１１を別途設ける必要はない。
【００２７】
図５は本発明の第二の実施例の変形例を示す図である。この実施例では、第一の１／４波長板６を偏光分離フィルム４の光学画像出射面に積層すると共に、第二の１／４波長板８及び第三の偏光板９を保護板１０の光学画像光入射面に積層している。これにより、表面反射光１５が偏光分離フィルム４或いは第一の１／４波長板６の表面で再反射しても、反射した表面反射光１５を光吸収板１１の方向へ偏向することができる。また、第一の１／４波長板６を個別に保持する必要がなくなる為、ビューファインダー筐体の設計自由度が向上する。
【００２８】
図６は本発明の第一及び第二の実施例の変形例を示す図で、（Ａ）第一の実施例の変形例、（Ｂ）第二の実施例の変形例である。これらの実施例では、いずれも偏光分離フィルム４の代わりに直方体状のＰＢＳプリズム１６を用いており、図６（Ａ）の実施例では、ＰＢＳプリズム１６の光学画像光出射面に第二の偏光板５及び第一の１／４波長板６を積層し、図６（Ｂ）の実施例では、ＰＢＳプリズム１６の光学画像光出射面に第一の１／４波長板６を積層している。尚、図６（Ｂ）の実施例では、光吸収板１１もＰＢＳプリズム１６の表面に積層している。ＰＢＳプリズム１６の光学画像光出射面に光学部材（第二の偏光板５、第一の１／４波長板６）を積層することにより、光学部材の光入射面を光軸に対し垂直にする事が容易となる為、第一の円偏光板１２における偏光変換効率を高く維持することができる。
【符号の説明】
【００２９】
１    光源
２    第一の偏光板
３    反射型液晶パネル
４    偏光分離フィルム
５    第二の偏光板
６    第一の１／４波長板
７    接眼光学系
８    第二の１／４波長板
９    第三の偏光板
１０  保護板
１１  光吸収板
１２  第一の円偏光板
１３  第二の円偏光板
１４  光学画像光
１５  表面反射光
１６  ＰＢＳプリズム
【図１】
2013235163.tif 000003
【図２】
2013235163.tif 000004
【図３】
2013235163.tif 000005
【図４】
2013235163.tif 000006
【図５】
2013235163.tif 000007
【図６】
2013235163.tif 000008
【図７】
2013235163.tif 000009